(57)【要約】【課題】簡単かつ確実に生ゴミがカラスによって散乱するのを防止することが可能である。【解決手段】調理場に載置される袋支持台２に開封した状態で支持される収集袋３に、調理クズ、残飯等の生ゴミを収納し、流し台１０の流し口１０ａに装着する網５に捕集されるなべ等の洗いカスを、収集袋３に収納し、開口部にシール部材を有する容器本体４ａに収集袋３を複数個収納した状態で蓋体４ｂを密閉したプラスチック収集容器４をゴミ置き場に出す。【選択図】図１
2006151579.tif 000002
【特許請求の範囲】
【請求項１】
調理場に載置される袋支持台と、
流し台の流し口に装着される網と、
前記袋支持台に開封した状態で支持され、生ゴミを収納する収集袋と、
開口部にシール部材を有する容器本体と、この容器本体に前記収集袋を複数個収納した状態で密閉する蓋体とを有するプラスチック収集容器と、
からなることを特徴とする生ゴミ収集ユニット。
【請求項２】
調理場に載置される袋支持台に開封した状態で支持される収集袋に、調理クズ、残飯等の生ゴミを収納し、
流し台の流し口に装着する網に捕集されるなべ等の洗いカスを、前記収集袋に収納し、
開口部にシール部材を有する容器本体に前記収集袋を複数個収納した状態で蓋体を密閉したプラスチック収集容器をゴミ置き場に出すことを特徴とする生ゴミ収集方法。
【発明の詳細な説明】
【技術分野】
【０００１】
この発明は、生ゴミがカラスによって散乱されるのを防止するために用いられる生ゴミ収集ユニット及び生ゴミ収集方法に関する。
【背景技術】
【０００２】
従来、生ゴミ収集は、生ゴミを市販の３０ｌもしくは４５ｌのビニール袋に生ゴミを入れて道路脇等のゴミ置き場への出している。ところが、ゴミ収集車が到着するまでにカラスがビニール袋を破り、袋内の生ゴミが周辺に散乱するという問題が生じている。このために、所定のゴミ置き場に集積されたビニール袋の生ゴミがカラスによって散乱するのを防止するためにゴミカバー用ネットを用いるものがある（例えば、特許文献１）。
【特許文献１】特開２００４−５１３１２号公報（第１頁〜第７頁、図１〜図８）
【発明の開示】
【発明が解決しようとする課題】
【０００３】
このように、ゴミ置き場に集積されたビニール袋の生ゴミがカラスによって散乱するのを防止するものはあるが、薄いビニール袋からは人間が感知できなくてもカラス等の動物が感知できる臭気が洩れ、ゴミカバー用ネットの網の目の間からビニール袋を破り、袋内の生ゴミが周辺に散乱する。
【０００４】
この発明は、かかる点に鑑みてなされたもので、悪臭が外部に漏れず、しかも簡単かつ確実に生ゴミがカラスによって散乱するのを防止することが可能な生ゴミ収集ユニット及び生ゴミ収集方法を提供することを目的としている。
【課題を解決するための手段】
【０００５】
前記課題を解決し、かつ目的を達成するために、この発明は、以下のように構成した。
【０００６】
請求項１に記載した発明は、
調理場に載置される袋支持台と、
流し台の流し口に装着される網と、
前記袋支持台に開封した状態で支持され、生ゴミを収納する収集袋と、
開口部にシール部材を有する容器本体と、この容器本体に前記収集袋を複数個収納した状態で密閉する蓋体とを有するプラスチック収集容器と、
からなることを特徴とする生ゴミ収集ユニットである。
【０００７】
請求項２に記載した発明は、
調理場に載置される袋支持台に開封した状態で支持される収集袋に、調理クズ、残飯等の生ゴミを収納し、
流し台の流し口に装着する網に捕集されるなべ等の洗いカスを、前記収集袋に収納し、
開口部にシール部材を有する容器本体に前記収集袋を複数個収納した状態で蓋体を密閉したプラスチック収集容器をゴミ置き場に出すことを特徴とする生ゴミ収集方法である。
【発明の効果】
【０００８】
前記構成により、この発明は、以下のような効果を有する。
【０００９】
請求項１及び請求項２に記載の発明によれば、調理場に載置される袋支持台に開封した状態で支持される収集袋に、調理クズ、残飯等の生ゴミを収納し、流し台の流し口に装着する網に捕集されるなべ等の洗いカスを、収集袋に収納し、生ゴミを分離して収集袋に収納する。従来の流し場の三角コーナーに生ゴミを収納することを廃止し、流し場で場所を取らないようにし、三角コーナーのヌメリもなくなる。また、調理クズ、残飯のみならず多量の水とともになべぼ残りクズまで流し入れることがなくなり、生ゴミの含水率が低く、腐敗しにくくなる。
【００１０】
従来の市販の３０ｌもしくは４５ｌのビニール袋にゴミを入れて出していることに変えて、開口部にシール部材を有する容器本体に収集袋を複数個収納した状態で蓋体を密閉したプラスチック収集容器をゴミ置き場に出す。
【００１１】
薄いビニール袋からは人間が感知できなくてもカラス等の動物が感知できる臭気が洩れ、完全に二重袋にしても外袋が破られ、カラスはゴミ袋の形状から生ゴミであると判断したらしく、市販のゴミ袋を用いるのは止め、ゴミ置き場に出すゴミ容器を丈夫でかつ臭気の洩れないプラスチック収集容器とするで、カラスによる被害をなくすことはできる。
【発明を実施するための最良の形態】
【００１２】
以下、この発明の生ゴミ収集ユニット及び生ゴミ収集方法の実施の形態について説明する。この発明の実施の形態は、発明の最も好ましい形態を示すものであり、この発明はこれに限定されない。
【００１３】
図１は生ゴミ収集ユニットの構成を示す図である。
【００１４】
この実施の形態の生ゴミ収集ユニット１は、袋支持台２、収集袋３、網５及びプラスチック収集容器４とからなる。袋支持台２は、例えば３０〜６０ｃｍの高さの大きさ、直径２０〜５０ｃｍの円筒形に形成されるが、方形の箱形でもよい。この袋支持台２は、例えば複数本の金属線を折り曲げて組み付けて構成され、脚部２ａと支持部２ｂとを有する。
【００１５】
この袋支持台２は、調理場に載置され、収集袋３を開封した状態で支持する。収集袋３は、例えばビニール、あるいは紙で形成され、一端に開口部３ａを有する。網５は、例えばピラスチック、あるいは金属で成形され、流し台の流し口に装着される。網５の網目５ａの大きさは、なべ等の洗いカスを捕集できる大きさである。
【００１６】
プラスチック収集容器４は、容器本体４ａと蓋体４ｂとを有する。容器本体４ａの開口部４ａ１にはシール部材４ｃが設けられ、このシール部材４ｃは例えばゴムリングで形成される。容器本体４ａの上部の外側部には把手４ｄが設けられ、この把手４ｄは容器本体４ａと一体に形成され、あるは別体に形成して固定される。蓋体４ｂは突条４ｂ１が形成されている。容器本体４ａに蓋体４ｂを閉じた状態では、蓋体４ｂの突条４ｂ１が容器本体４ａのシール部材４ｃを押圧して密閉する。
【００１７】
図２は生ごみ収集ユニットの使用状態を説明する図である。袋支持台２を流し台１０の三角コーナーに設置しないで、調理場に載置する。網５を流し台１０の流し口１０ａに装着する。袋支持台２には、収集袋３を開口部３ａを開けて開封した状態で支持する（図２（ａ））。
【００１８】
食事の料理を作るときに生じる調理クズ、あるいは食事後の残飯等の生ごみは袋支持台２に支持された収集袋３に収納する。また、なべ等の洗いカスは、流し口１０ａに装着した網５に捕集され、なべ等の洗いカスを網５ごと流し口１０ａから取り出し、なべ等の洗いカスを収集袋３に収納する（図２（ｂ））。
【００１９】
収集袋３を袋支持台２から取り外して開口部３ａを閉じる（図２（ｃ））。収集袋３は屋外に載置した収集容器４に収納し、蓋体４ｂにより密閉する（図２（ｄ））。この容器本体４ａに収集袋３を複数個収納し、この状態で蓋体４ｂにより密閉することで、悪臭が外部に漏れず、しかも簡単かつ確実に生ごみがカラスによって散乱するのを防止することが可能である。
【００２０】
このプラスチック収集容器４は、収集日に所定箇所へ移動して置くが、生ごみはプラスチック収集容器４に収納されており、悪臭が外部に漏れず、しかも容易に破ることができない。回ってきた収集車の作業員がプラスチック収集容器４の蓋体４ｂを開けて収集袋３の生ゴミを回収する。収集車の来着まで、生ごみ入りのプラスチック収集容器４が放置されていても、美観を損ねることがなく、また放置される間にカラスに侵食されることがなく、カラスによる被害を確実に防止できる。
【００２１】
この発明は、生ゴミ処理において、流し台１０の三角コーナーを廃止している。三角コーナーは流し場で場所を取るばかりでなく、調理クズ、残飯のみならず多量の水とともになべぼ残りクズまで流し入れる。その結果、含水率が高くなり、腐敗し易くなる。また、三角コーナーのヌメリも不愉快である。
【００２２】
この対策として、調理場に載置される袋支持台２に開封した状態で支持される収集袋３に、調理クズ、残飯等の生ゴミを収納する。また、流し台１０の流し口１０ａに装着する網５に捕集されるなべ等の洗いカスを、収集袋５に収納する。
【００２３】
袋支持台２の置き場所は、調理場が適切であり、流し台１０には置かない。なべ等の洗いカスは、流し口１０ａに設置した網５で捕集の上、収集袋５に入れる。なべ等の洗いカスは、量が少ないので網５で充分である。
【００２４】
このように、調理クズ、残飯等の生ゴミと、なべ等の洗いカスの生ゴミを分離して収集袋３に収納し、従来の流し場の三角コーナーに生ゴミを収納することを廃止し、流し場で場所を取らないようにし、三角コーナーのヌメリもなくなる。また、調理クズ、残飯のみならず多量の水とともになべぼ残りクズまで流し入れることがなくなり、生ゴミの含水率が低く、腐敗しにくくなる。
【００２５】
次に、生ゴミのゴミ置き場への出し方は、従来、市販の３０ｌもしくは４５ｌのビニール袋にゴミを入れて出している。
【００２６】
この方法で実験としたところ、例えばビニール製の小袋を密閉し、４５ｌ容量のゴミ袋に入れて庭先に放置したところ、２〜３ケ月はカラスによる被害は受けなかった。一部の生ゴミを４５ｌ容量のビニール袋に直接入れたところカラスによる被害を受けた。
【００２７】
化学実験では常識であるが、薄いビニール袋からは人間が感知できなくてもカラス等の動物が感知できる臭気が洩れ、従って通常用いられている方法ではカラスの被害は防げない。
【００２８】
その後、完全に二重袋にしたが２ケ月程度経過したら、外袋が破られた。カラスはゴミ袋の形状から生ゴミであると判断したことがわかる。結論として、市販のゴミ袋を用いるのは止めるべきである。
【００２９】
この発明は、従来の市販の３０ｌもしくは４５ｌのビニール袋にゴミを入れて出していることに変えて、開口部４ａ１にシール部材４ｃを有する容器本体４ａに収集袋３を複数個収納した状態で蓋体４ｂを密閉したプラスチック収集容器４をゴミ置き場に出す。
【００３０】
薄いビニール袋からは人間が感知できなくてもカラス等の動物が感知できる臭気が洩れ、完全に二重袋にしても外袋が破られ、カラスはゴミ袋の形状から生ゴミであると判断したらしく、市販のゴミ袋を用いるのは止め、ゴミ置き場に出すゴミ容器を丈夫でかつ臭気の洩れないプラスチック収集容器４とするで、カラスによる被害をなくすことはできる。
【００３１】
このゴミ置き場に出すプラスチック収集容器４は、丈夫でかつ臭気の洩れないプラスチック容器とする。この中に収集袋３として、小袋（ビニール袋もしくは紙）を入れる。この収集袋３の小袋の密閉性は問わない。
【００３２】
プラスチック収集容器４でも仮に臭気が洩ると、餌が有るのに食べられないフラストレーションからカラスが凶暴になり人を襲う虞があるため、プラスチック収集容器４は丈夫でかつ臭気の洩れない構造とする。
【００３３】
次に、収集袋３の他の実施の形態を図３に示す。この実施の形態の収集袋３は、開口部３ａに密封するチャック６が備えられている。この収集袋３の開口部３ａから生ごみを入れ、チャック６により開口部３ａを密封する。このように、婦人や老人でもチャック６によって収集袋３の開口部３ａを容易に密封することができる。
【００３４】
また、生ごみ収集ユニット１は、図４及び図５に示すように、プラスチック収集容器４を載せて移動する移動台車７を有する。この移動台車７は、載せ台７ａの下部にローラ７ｂを有し、載せ台７ａにプラスチック収集容器４を載せて移動する。この移動台車７を用いて、プラスチック収集容器４を収集日に所定箇所へ運搬する。このように、婦人や老人等でも移動台車７を用いて容易にプラスチック収集容器４を移動することができる。
【００３５】
また、他の実施の形態のプラスチック収集容器４は、図６及び図７に示すように、容器本体４ａの底部４ａ２にキャスター８を有し、婦人や老人等でも容易に収集容器４を移動することができる。
【産業上の利用可能性】
【００３６】
この発明は、調理場に載置される袋支持台に開封した状態で支持される収集袋に、調理クズ、残飯等の生ゴミを収納し、流し台の流し口に装着する網に捕集されるなべ等の洗いカスを、収集袋に収納し、生ゴミを分離して収集袋に収納する。従来の市販の３０ｌもしくは４５ｌのビニール袋にゴミを入れて出していることに変えて、開口部にシール部材を有する容器本体に収集袋を複数個収納した状態で蓋体を密閉したプラスチック収集容器をゴミ置き場に出す。
【図面の簡単な説明】
【００３７】
【図１】生ゴミ収集ユニットの構成を示す図である。
【図２】生ゴミ収集ユニットの使用状態を説明する図である。
【図３】ビニール袋の他の実施の形態を示す図である。
【図４】移動台車を示す図である。
【図５】収集容器を載せて移動する移動台車を示す図である。
【図６】他の実施の形態の収集容器を示す斜視図である。
【図７】他の実施の形態の収集容器の底部を示す斜視図である。
【符号の説明】
【００３８】
１  生ゴミ収集ユニット
２  袋支持台
３  収集袋
４  プラスチック収集容器
５  網
【図１】
2006151579.tif 000003
【図２】
2006151579.tif 000004
【図３】
2006151579.tif 000005
【図４】
2006151579.tif 000006
【図５】
2006151579.tif 000007
【図６】
2006151579.tif 000008
【図７】
2006151579.tif 000009